【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
サービスのネットワークにおいてジョブを再生する方法であって、
前記サービスの第１場所から、前記サービスの前記第１場所と実質的に同じ構成とされる前記サービスの第２場所へ、オペレーションを移動するために、フェールオーバー・イベントが生じたときに検出を行うステップと、
前記サービスの第２場所が、前記サービスの第１場所と同期した状態にとどまるよう前記フェールオーバー・イベントの前に、前記サービスの前記第１場所からのトランザクションログを前記サービスの前記第２場所で再生するステップと、
前記サービスの前記第１場所からジョブを得るステップと、
得られた前記ジョブを前記サービスの前記第２場所で投入するステップと、
第１場所パラメーターの第２場所パラメーターのへマッピングを得ることにより、得られた前記ジョブを第２場所パラメーターと適合するよう更新するステップと
を含み、前記第２場所は前記フェールオーバー・イベントの後にサービスの第１場所になる方法。
【請求項２】
請求項１に記載の方法であって、前記サービスの前記第１場所からジョブを得る前記ステップは、前記フェールオーバー・イベントから所定時間内に前記第１場所へ投入されたジョブのそれぞれを得るステップを含む、方法。
【請求項３】
請求項２に記載の方法であって、前記所定の時間は、前記フェールオーバー・イベントの時間内にあり、得られた前記ジョブは、前記フェールオーバー・イベントの前及び後でサービスの前記第１場所へ投入されたジョブを含む、方法。
【請求項４】
請求項１に記載の方法であって、得られた前記ジョブを前記サービスの前記第２場所で投入する前記ステップは、各ジョブが、フェールオーバー・フラグを設定するステップを含む、方法。
【請求項５】
請求項１に記載の方法であって、各ジョブは、前記第１場所と前記第２場所との間でのマッピングを決定するために中央サービスへクエリを行う、方法。
【請求項６】
請求項１に記載の方法であって、前記第１場所の同期時間を所定の時間だけロールバックし、前記第１場所を前記第２場所と再同期させるステップを更に含む方法。
【請求項７】
請求項１に記載の方法であって、得られた前記ジョブを前記サービスの前記第２場所で投入する前記ステップは、投入されたジョブのネットワーク識別子を、前記サービスの前記第２場所を反映するように変更し、前記第２場所と関連する何れの秘密も更新するステップを含む、方法。
【請求項８】
請求項１に記載の方法であって、得られた前記ジョブを前記サービスの前記第２場所で投入する前記ステップは、各ジョブが、そのジョブのリクエストを投入するステップを含む、方法。
【請求項９】
請求項１に記載の方法であって、中央サービスから前記マッピングを得るステップをさらに含む、方法。
【請求項１０】
サービスのネットワークにおいてジョブを再生するためのコンピューター実行可能命令を有するコンピューター読取可能記録媒体であって、
前記サービスの第１場所から、前記サービスの前記第１場所と実質的に同じ構成とされる前記サービスの第２場所へ、オペレーションを移動するために、フェールオーバー・イベントが生じたときに決定を行うことと、
前記サービスの第２場所が、前記サービスの第１場所と同期した状態にとどまるよう前記フェールオーバー・イベントの前に、前記サービスの前記第１場所からのトランザクションログを前記サービスの前記第２場所で再生することと、
前記サービスの前記第１場所からジョブを得ることと、
第１場所パラメーターの第２場所パラメーターへのマッピングを用いて、前記サービスの前記第１場所の物理的特性に依存するジョブ内でパラメーターをサービスの第２場所に変更することにより、第２場所パラメーターと適合するよう得られた前記ジョブを更新することと
得られた前記ジョブを前記サービスの第２場所で投入することと、
のコンピューター実行可能命令を含む、
コンピューター読取可能記録媒体。
【請求項１１】
請求項１０記載のコンピューター読取可能記録媒体であって、前記サービスの第１場所から前記ジョブを得ることは、前記フェールオーバー・イベントから所定の時間内に実行されるべき投入されたジョブの各々を得ることを含む、コンピューター読取可能記録媒体。
【請求項１２】
請求項１１記載のコンピューター読取可能記録媒体であって、１又は複数の前記投入されたジョブは、何れのオペレーションも実行されるべきではないことを判定することに応答して自動的に終了する、コンピューター読取可能記録媒体。
【請求項１３】
請求項１０記載のコンピューター読取可能記録媒体であって、前記サービスの第２場所において前記得られたジョブを投入することは、前記ジョブのそれぞれにおいてフェールオーバー・フラグを設定することを含む、コンピューター読取可能記録媒体。
【請求項１４】
請求項１０記載のコンピューター読取可能記録媒体であって、第１場所における識別子間のマッピングを、前記第２場所における対応する識別子に提供することをさらに含む、コンピューター読取可能記録媒体。
【請求項１５】
請求項１０記載のコンピューター読取可能記録媒体であって、同期時間を所定の時間だけロールバックすることを更に含むコンピューター読取可能記録媒体。
【請求項１６】
サービスのネットワークにおいてジョブを再生するためのシステムであって、
プロセッサおよびコンピューター読取可能媒体と、
前記コンピューター読取可能媒体に格納され、前記プロセッサで実行される動作環境と、
アクションを行うように動作するクラウド・マネージャーと
を含み、前記アクションは、
前記サービスの第１場所から、前記サービスの前記第１場所と実質的に同じ構成とされる前記サービスの第２場所へ、オペレーションを移動するために、フェールオーバー・イベントが生じたときに決定を行うことと、
前記サービスの第２場所が、前記サービスの第１場所と同期した状態にとどまるよう前記フェールオーバー・イベントの前に、前記サービスの前記第１場所からのトランザクションログを前記サービスの前記第２場所で再生することと、  前記サービスの前記第１場所からジョブを得ることと、
前記サービスの前記第１場所の物理的特性に依存するジョブ内の識別子を、前記サービスの前記第２場所に変更することを含む、第１場所パラメーターの第２場所パラメーターへのマッピングを得ることにより、第２場所パラメーターと適合するよう得られた前記ジョブを更新することと、
得られた前記ジョブを前記サービスの前記第２場所で投入することと
を含む、
システム。
【請求項１７】
請求項１６記載のシステムであって、前記サービスの第１場所からジョブを得ることは、所定の時間内で実行されるよう投入された前記ジョブのそれぞれを前記フェールオーバー・イベントから得ることを含む、システム。
【請求項１８】
請求項１６記載のシステムであって、前記サービスの第２場所において前記得られたジョブを投入することは、前記ジョブのそれぞれにおいてフェールオーバ−・フラグを設定することを含む、システム。
【請求項１９】
請求項１６記載のシステムであって、第２場所における対応する識別子に対し第１場所における識別子間のマッピングを提供することをさらに含む、システム。
【請求項２０】
請求項１６に記載のシステムであって、同期時間を所定の時間だけロールバックさせることを更に含むシステム。